(57)【要約】【課題】貯湯槽内に湯水混合層が形成されるのを抑制し、給湯システムの加熱効率を高める。【解決手段】温水を生成する温水生成手段８と、該温水生成手段８により生成された温水を貯留する複数の貯湯槽２、５とを備える給湯システムの運転方法であって、給湯運転の際に、前記複数の貯湯槽２、５を、給湯中の貯湯槽２、５の高温水を使い切った後に湯水混合層の湯水を使い切り、この後に次の貯湯槽５、２から給湯が行われるように、順次切り換えて使用する。貯湯槽２、５内に湯水混合層が拡大するのを抑制することができるので、給湯システム１の加熱効率を高めることができる。【選択図】図１
2007333238.tif 000002
【特許請求の範囲】
【請求項１】
温水を生成する温水生成手段と、該温水生成手段により生成された温水を貯留する複数の貯湯槽とを備える給湯システムの運転方法であって、
給湯運転の際に、前記複数の貯湯槽を、給湯中の貯湯槽の高温水を使い切った後に、次の貯湯槽から給湯が行われるように、順次切り換えて使用することを特徴とする給湯システムの運転方法。
【請求項２】
前記給湯中の貯湯槽の高温水を使い切った後に湯水混合層の湯水を使い切り、この後に次の貯湯槽から給湯が行われるように、順次切り換えて使用することを特徴とする請求項１に記載の給湯システムの運転方法。
【請求項３】
前記貯湯槽から給湯される温水の温度が所定の温度よりも低い場合には、他の何れかの貯湯槽の高温水と混合して使用することを特徴とする請求項２に記載の給湯システムの運転方法。
【請求項４】
前記温水生成手段は、熱交換器により加熱する水加熱装置であることを特徴とする請求項１から３の何れかに記載の給湯システムの運転方法。
【請求項５】
温水を生成する温水生成手段と、該温水生成手段により生成された温水を貯留する複数の貯湯槽と、各貯湯槽から給湯される温水の温度を検出する温度センサと、各貯湯槽からの給湯量を制御する制御弁と、前記温度センサからの検出信号に基づいて前記制御弁を制御する制御装置とを備えた給湯システムであって、
前記制御装置は、給湯運転の際に、前記温度センサからの検出信号に基づいて、給湯中の貯湯槽の高温水を使い切った後に、次の貯湯槽から給湯が行われるように、前記制御弁を制御することを特徴とする給湯システム。
【発明の詳細な説明】
【技術分野】
【０００１】
本発明は、給湯システムの運転方法及び給湯システムに関し、特に、貯湯式ヒートポンプ給湯機を使用した給湯システムの運転方法及び給湯システムに関する。
【背景技術】
【０００２】
貯湯式ヒートポンプ給湯機を使用した給湯システムの一例として、貯湯槽とヒートポンプとを直列に連結した閉路を形成し、この閉路内において貯湯槽とヒートポンプとの間で水を循環させることにより、所定の温度（８５〜９０℃）に加熱した高温水を貯湯槽内に貯留し、貯湯槽内に冷水（６〜２５℃）を供給することにより、冷水の圧力によって貯湯槽から高温水を押し出し、この高温水を適度な温度に調整して各所に給湯するように構成したものが知られている。
【０００３】
このような構成の給湯システムにおいては、給湯量の少ない時間帯に貯湯槽内の湯水又は低温水をヒートポンプで加熱して所定の温度（８５〜９０℃）の高温水とし、この高温水を貯湯槽内に戻して貯留し、給湯量の多い時間帯に不足することなく各所に給湯している（例えば、特許文献１参照。）。
【特許文献１】特開平５−３３２６１４号公報
【発明の開示】
【発明が解決しようとする課題】
【０００４】
ところで、上記のような構成の給湯システムにあっては、給湯運転と貯湯運転とを繰り返すことにより、貯湯槽内に２５〜８５℃の範囲内の湯水からなる湯水混合層が次第に拡大する。この湯水混合層を構成する湯水は、給湯用の温水として使用するには温度が低過ぎるため、ヒートポンプによって加熱して所定の温度の高温水にする必要があるが、ヒートポンプの特性上、湯水混合層を構成する湯水は温度が高すぎるために加熱することが困難である。このため、貯湯槽内の湯水混合層の範囲がさらに増加してしまい、その分だけ貯湯槽内に貯留できる高温水の総量が少なくなってしまう。
【０００５】
本発明は、上記のような従来の問題に鑑みなされたものであって、給湯運転と貯湯運転とを繰り返し行っても、貯湯槽内に形成される湯水混合層の範囲が増加するのを抑止することができ、これにより十分な量の高温水を貯湯槽内に確保することができる給湯システムの運転方法及び給湯システムを提供することを目的とする。
【課題を解決するための手段】
【０００６】
上記のような課題を解決するために、本発明は、以下のような手段を採用している。
すなわち、請求項１に係る発明は、温水を生成する温水生成手段と、該温水生成手段により生成された温水を貯留する複数の貯湯槽とを備える給湯システムの運転方法であって、給湯運転の際に、前記複数の貯湯槽を、給湯中の貯湯槽の高温水を使い切った後に、次の貯湯槽から給湯が行われるように、順次切り換えて使用することを特徴とする。
【０００７】
本発明による給湯システムの運転方法によれば、複数の貯湯槽を、給湯中の貯湯槽の高温水を使い切った後に、次の貯湯槽から給湯が行われるように、順次切り換えて使用することになるので、常に、所定の温度の高温水が各所に給湯されることになる。
【０００８】
請求項２に係る発明は、請求項１に記載の給湯システムの運転方法であって、前記給湯中の貯湯槽の高温水を使い切った後に湯水混合層の湯水を使い切り、この後に次の貯湯槽から給湯が行われるように、順次切り換えて使用することを特徴とする。
【０００９】
本発明による給湯システムの運転方法によれば、複数の貯湯槽を、給湯中の貯湯槽の高温水を使い切った後に湯水混合層の湯水を使い切り、この後に次の貯湯槽から給湯が行われるように、順次切り換えて使用することになるので、各貯湯槽内に湯水混合層が拡大するのを抑制できる。
【００１０】
請求項３に係る発明は、請求項２に記載の給湯システムの運転方法であって、前記貯湯槽から給湯される温水の温度が所定の温度よりも低い場合には、他の何れかの貯湯槽の高温水と混合して使用することを特徴とする。
【００１１】
本発明による給湯システムの運転方法によれば、貯湯槽からの給湯の際に、所定の温度よりも低い温度の温水が給湯された場合には、何れかの貯湯槽の高温水と混合することにより所定の温度の温水とされ、所定の温度の高温水が給湯されることになる。
これにより、所定の温度より低下した温水を再加熱する以外に使い道のない温水を、再加熱により有効に利用することが可能になる。
【００１２】
請求項４に係る発明は、請求項１から３の何れかに記載の給湯システムの運転方法であって、前記温水生成手段は、熱交換器により加熱する水加熱装置であることを特徴とする。
【００１３】
本発明による給湯システムの運転方法によれば、各貯湯槽と熱交換器により加熱する水加熱装置である温水生成手段との間で低温水又は湯水を循環させることにより、低温水又は湯水が加熱されて所定の温度の高温水となって各貯湯槽内に貯湯されることになる。
【００１４】
請求項５に係る発明は、温水を生成する温水生成手段と、該温水生成手段により生成された温水を貯留する複数の貯湯槽と、各貯湯槽から給湯される温水の温度を検出する温度センサと、各貯湯槽からの給湯量を制御する制御弁と、前記温度センサからの検出信号に基づいて前記制御弁を制御する制御装置とを備えた給湯システムであって、前記制御装置は、給湯運転の際に、前記温度センサからの検出信号に基づいて、給湯中の貯湯槽の高温水を使い切った後に、次の貯湯槽から給湯が行われるように、前記制御弁を制御することを特徴とする。
【００１５】
本発明による給湯システムによれば、給湯運転の際に、温度センサからの検出信号に基づいて制御装置によって制御弁を制御することにより、複数の貯湯槽を、給湯中の貯湯槽の高温水を使い切った後に、次の貯湯槽から給湯が行われるように、順次切り換えて使用することが可能になる。従って、給湯運転と貯湯運転とを繰り返すことにより、各貯湯槽内に湯水混合層が拡大するのを抑制できる。
【発明の効果】
【００１６】
以上、説明したように、本発明の給湯システムの運転方法及び給湯システムによれば、給湯運転の際に、各貯湯槽内の高温水を使い切った後に次の貯湯槽から給湯が行われるように、順次切り換えて使用することになるので、給湯運転と貯湯運転とを繰り返しても、各貯湯槽内に湯水混合層が拡大するのを抑制できる。
そして、各貯湯槽内に湯水混合層が拡大するのを抑制できることで、各貯湯槽内に十分な量の高温水を貯湯することができる。
【発明を実施するための最良の形態】
【００１７】
以下、図面を参照しつつ本発明の実施の形態について説明する。
図１〜図９には、本発明による給湯システムの一実施の形態が示されている。この給湯システム１は、貯湯式ヒートポンプ給湯機に適用したものであって、図１に示すように、第１貯湯槽２と、第２貯湯槽５と、温水生成手段である熱交換器により加熱する水加熱装置、例えばヒートポンプ８と、第１制御弁１１と、第２制御弁１２とを備えている。
なお、以下の説明において、「低温水」とは、６〜２５℃の冷水又は温水をいい、「湯水」とは、湯水混合層を構成する２５〜８５℃の温水をいい、「高温水」とは、ヒートポンプ８で加熱された後の８５〜９０℃の温水をいう。
【００１８】
第１貯湯槽２と第２貯湯槽５とは、配管１３、１４、１６を介してヒートポンプ８に対して並列に接続されている。そして、この第１貯湯槽２及び第２貯湯槽５とヒートポンプ８との間で低温水又は湯水を循環させることにより、低温水又は湯水が所定の温度に加熱されて、第１貯湯槽２及び第２貯湯槽５内に所定の温度の高温水が貯留される。
【００１９】
第１貯湯槽２及び第２貯湯槽５の底部にはそれぞれ流入口３、６が設けられ、上部にはそれぞれ流出口４、７が設けられている。流入口３、６を介して第１貯湯槽２及び第２貯湯槽５内に給水源から低温水が供給され、流出口４、７を介して高温水又は湯水が第１貯湯槽２及び第２貯湯槽５から押し出される。
【００２０】
第１貯湯槽２の流入口３及び第２貯湯槽５の流入口６はそれぞれ配管１６を介して給水用配管１３に接続されている。給水用配管１３は、一端が水道等の給水源（図示せず）に接続され、他端がヒートポンプ８の流入口９に接続され、この給水用配管１３の途中に第１貯湯槽２の流入口３及び第２貯湯槽５の流入口６がそれぞれ配管１６を介して接続されている。従って、給水用配管１３を介して水道等の給水源から第１貯湯槽２及び第２貯湯槽５の流入口３、６にそれぞれ低温水が導かれ、各流入口３、６を介して第１貯湯槽２及び第２貯湯槽５内に低温水が供給される。
【００２１】
第１貯湯槽２の流出口４及び第２貯湯槽５の流出口７はそれぞれ配管１６を介して給湯用配管１４に接続されている。給湯用配管１４は、一端が各所の給湯栓（図示せず）に接続され、他端がヒートポンプ８の流出口１０に接続され、この給湯用配管１４の途中に第１貯湯槽２の流出口４及び第２貯湯槽５の流出口７がそれぞれ配管１６を介して接続されている。
【００２２】
給湯用配管１４と第１貯湯槽２の流出口４及び第２貯湯槽５の流出口７との間を接続する配管１６の途中には３方向弁である第１制御弁１１が設けられ、この第１制御弁１１により、第１貯湯槽２の流出口４から給湯用配管１４に至る給湯系統、及び第２貯湯槽５の流出口７から給湯用配管１４に至る給湯系統の開度が調整される。
【００２３】
給湯用配管１４の配管１６が接続された部分よりも下流側の部分と、給水用配管１３の配管１６が接続された部分よりも上流側の部分との間には、バイパス配管１５が設けられている。バイパス配管１５と給湯用配管１４との接続部には３方向弁である第２制御弁１２が設けられ、この第２制御弁１２により給水用配管１３と給湯用配管１４とを接続するバイパス系統の開度が調整される。
【００２４】
第１貯湯槽２には、上から下に向かって第１温度センサＴＸ１、第２温度センサＴＸ２、第３温度センサＴＸ３の３つの温度センサＴＸ１〜ＴＸ３が所定の間隔ごとに設けられている。これらの温度センサＴＸ１〜ＴＸ３によって第１貯湯槽２内に貯留される湯水の上下各部の温度が検出され、これらの温度センサＴＸ１〜ＴＸ３からの信号が制御装置２０に送られる。制御装置２０は、これらの検出信号に基づいて第１制御弁１１及び第２制御弁１２の作動を制御する。
【００２５】
同様に、第２貯湯槽５には、上から下に向かって第４温度センサＴＸ４、第５温度センサＴＸ５、第６温度センサＴＸ６の３つの温度センサＴＸ４〜ＴＸ６が設けられている。これらの温度センサＴＸ４〜ＴＸ６によって第２貯湯槽５内に貯留される湯水の上下各部の温度が検出され、これらの温度センサＴＸ４〜ＴＸ６からの検出信号が制御装置２０に送られる。制御装置２０は、これらの検出信号に基づいて第１制御弁１１及び第２制御弁１２の作動を制御する。
【００２６】
また、給湯用配管１４の第１制御弁１１と第２制御弁１２との間には第７温度センサＴＸ７が設けられ、この第７温度センサＴＸ７により、第１貯湯槽２及び第２貯湯槽５から給湯用配管１４内に供給される温水の温度が検出され、この第７温度センサＴＸ７からの検出信号が制御装置２０に送られる。制御装置２０は、この検出信号に基づいて第１制御弁１１及び第２制御弁１２の作動を制御する。
【００２７】
給湯用配管１４の第２制御弁１２よりも下流側には第８温度センサＴＸ８が設けられている。この第８温度センサＴＸ８により第２制御弁１２の下流側の給湯用配管１４内を流通する温水の温度（第１貯湯槽２及び第２貯湯槽５からの温水の温度、及び第１貯湯槽２及び第２貯湯槽５からの温水とバイパス系統からの低温水とを混合させた温水の温度）が検出され、第８温度センサＴＸ８からの検出信号が制御装置２０に送られる。制御装置２０は、この検出信号に基づいて第１制御弁１１及び第２制御弁１２の作動を制御する。
【００２８】
なお、第１〜第８温度センサＴＸ１〜ＴＸ８としては、例えば、挿入型又は表面貼付型のサーモスタット等が挙げられる。
【００２９】
また、ヒートポンプ８としては、例えば、冷媒にＣＯ２ガスを用いたヒートポンプ（エコキュート（登録商標））が有効である。ヒートポンプ８は、水加熱用の熱交換器、膨張弁、空気用の熱交換器、コンプレッサ、循環ポンプ等からなり、水加熱用の熱交換器の上流側に第１貯湯槽２の流入口３及び第２貯湯槽５の流入口６が給水用配管１３及び配管１６を介して接続され、下流側に第１貯湯槽２の流出口４及び第２貯湯槽５の流出口７が給湯用配管１４、配管１６、第１制御弁１１、及び配管１６を介して接続されている。
なお、温水生成手段８としては、ヒートポンプ８に限らず、電力、液体燃料（灯油等）、気体燃料（都市ガス、天然ガス、ＬＰＧガス等）を熱源とする熱源機であっても良い。要は、第１貯湯槽２、第２貯湯槽５、及び給水源からの低温水又は湯水を所定の温度に加熱できるものであれば良い。
【００３０】
以上、説明した給湯システム１の構成によれば、第１制御弁１１の開度を調整して、ヒートポンプ８→配管１４、１６→第１制御弁１１→第１貯湯槽２→配管１６→給水用配管１３→ヒートポンプ８の閉路を形成し、この閉路内でヒートポンプ８の循環ポンプを作動させることにより、第１貯湯槽２と水加熱用の熱交換器との間で低温水又は湯水が循環され、所定の温度に加熱されて第１貯湯槽２内に貯湯される。
【００３１】
また、第１制御弁１１の開度を調整して、ヒートポンプ８→配管１４、１６→第１制御弁１１→第２貯湯槽５→配管１６→給水用配管１３→ヒートポンプ８の閉路を形成し、この閉路内でヒートポンプ８の循環ポンプを作動させることにより、第２貯湯槽２と水加熱用の熱交換器との間で低温水又は湯水が循環され、所定の温度に加熱されて第２貯湯槽２内に貯湯される。
【００３２】
第１貯湯槽２又は第２貯湯槽５内に高温水が充満されたのを第１〜第６温度センサＴＸ１〜ＴＸ６で検出することにより、ヒートポンプ８の作動が停止される。
【００３３】
また、給水源から低温水を給水用配管１３及び流入口３、６を介して第１貯湯槽２又は第２貯湯槽５の底部に供給することにより、この低温水の圧力によって第１貯湯槽２内の高温水及び第２貯湯槽５内の高温水が押し上げられ、押し上げられた分量に相当する高温水が第１貯湯槽２又は第２貯湯槽５の上部の流出口４、７から配管１６、第１制御弁１１、配管１６を介して給湯用配管１４内に押し出される。
【００３４】
この場合、第１貯湯槽２又は第２貯湯槽５から押し出される高温水の温度は給湯用配管１４の第７温度センサＴＸ７及び第８温度センサＴＸ８によって検出され、所定の温度よりも低い場合には、後述の手法によって高温水と混合して所定の温度の温水とし、所定の温度よりも高い場合には、バイパス系統を介して給湯用配管１４内に供給される低温水と混合して所定の温度の温水とし、所定の温度の高温水を給湯用配管１４を介して各所に給湯する。
【００３５】
次に、上記のように構成した本実施の形態による給湯システム１の運転方法について説明する。
図１及び図２に示すように、第１貯湯槽２内に高温水、湯水混合層の湯水、及び低温水が充満され、第２貯湯槽５内に高温水が充満されている状態を想定する。
【００３６】
このような状態から給湯運転を開始する場合には、まず、図１及び図２に示すように、制御装置２０により第１制御弁１１の開度を調整して、第１貯湯槽２の流出口４と給湯用配管１４との間を全開状態とし、第２貯湯槽５の流出口７と給湯用配管１４との間を全閉状態とし、第２制御弁１２を介して給湯する。
【００３７】
そして、給水源から給水用配管１３、配管１６及び流入口３を介して第１貯湯槽２の底部に低温水を供給し、第１貯湯槽２内の低温水、湯水混合層の湯水、及び高温水を押し上げ、上部の流出口４から配管１６内に押し出し、配管１６から第１制御弁１１を介して給湯用配管１４内に押し出し、給湯用配管１４を介して高温水を供給し、もう一方に給水の給水配管１５を介して冷水を供給し、第２制御弁１２の開度を調整して給湯配管に所定の温度の温水を給湯する。
【００３８】
ここで、図３に示すように、第１貯湯槽２から給湯用配管１４内に高温水が全て押し出され、それに続いて湯水混合層の湯水が押し出されることにより、給湯用配管１４内を流通する温水の温度が所定の温度よりも低くなる。そして、この温水の温度の低下が給湯用配管１４の途中に設けられている第７温度センサＴＸ７で検出されると、その検出信号によって制御装置２０により第１制御弁１１の開度が調整され、第２貯湯槽５の流出口７と給湯用配管１４との間が全開状態となり、第１貯湯槽２からの湯水に２貯湯槽５からの高温水が混合され、給湯用配管１４内の温水が所定の温度に調整される。
【００３９】
そして、図４に示すように、第１貯湯槽２内の湯水混合層の湯水を使い切ったのを第７、第８温度センサＴＸ７、ＴＸ８で検出し（例えば、第７、第８温度センサＴＸ７、ＴＸ８が冷水温度＋５℃以下を検出したときに、湯水混合層の湯水を使い切ったと判定する。）、この後に、第１制御弁１１の開度を調整して第１貯湯槽２の流出口４と給湯用配管１４との間を全閉状態とし、第２貯湯槽５の流出口７と給湯用配管１４との間を全開状態とし、第１貯湯槽２から第２貯湯槽５の給湯運転に切り換える。
【００４０】
そして、第２貯湯槽５内の高温水を流出口７から配管１６、第１制御弁１１、及び配管１６を介して給湯用配管１４内に押し出し、給湯用配管１４から第２制御弁１２を介して各所に所定の温度の温水を給湯する。
【００４１】
この場合、第８温度センサＴＸ８からの検出信号により、給湯用配管１４内を流通する温水の温度が高すぎる場合には、制御装置２０によって第２制御弁１２の開度を調整し、バイパス配管及１５と給湯用配管１４とを全開状態とし、バイパス系統を介して給湯用配管１４内に低温水を供給し、この低温水を給湯用配管１４内を流通する温水に混合し、給湯用配管１４内を流通する温水を所定の温度に調整する。この場合、第２制御弁１２の開度を調整して、バイパス系統から給湯用配管１４内へ供給する低温水の量を調整することにより、給湯用配管１４内を流通する温水の温度を所定の温度に調整することができる。
【００４２】
そして、図５に示すように給湯運転を終了し、この後に、図６、７に示すように貯湯運転に切り換え、湯水混合層の湯水を全て使い切った第１貯湯槽２内の低温水を給水用配管１３を介してヒートポンプ８に導き、この低温水をヒートポンプ８で加熱して所定の温度の高温水とし、給湯用配管１４、第１制御弁１１、及び流出口４を介して第１貯湯槽２内に戻し、第１貯湯槽２内に充満させる。
【００４３】
次に、図８に示すように、第２貯湯槽５の貯湯運転に切り換え、第２貯湯槽５の低温水を給水用配管１３を介してヒートポンプ８に導き、この低温水をヒートポンプ８で加熱して所定の温度の高温水とし、給湯用配管１４、第１制御弁１１、及び流出口４を介して第１貯湯槽２内に戻す。この場合、第２貯湯槽５内には湯水混合層の湯水が残った状態となっているが、この状態で第２貯湯槽５の貯湯運転を終了し、次の給湯運転に備える。
したがって、各貯湯槽２、５への貯湯は順番に行うこととし、まず、最初に使い切った貯湯槽２、５または前回の貯湯以降に一方しか使っていない場合は、使用した貯湯槽２、５に優先的に貯湯し、次にもう一方の貯湯槽５、２に貯湯する。
【００４４】
そして、次に給湯運転を行う場合には、図９に示すように、第１制御弁１１の開度を調整して、第１貯湯槽２の流出口４と給湯用配管１４との間を全閉状態とし、第２貯湯槽５の流出口７と給湯用配管１４との間を全開状態とし、第２制御弁１２の開度を調整して第２制御弁１２の上流側と下流側との間を全開状態とする。
【００４５】
そして、給水用配管１４から配管１６及び流入口６を介して第２貯湯槽５の底部に低温水を供給し、第２貯湯槽５内の湯水混合層の湯水、及び高温水を押し上げ、流出口７から配管１６、第１制御弁１１、及び配管１６を介して給湯用配管１４内に高温水、湯水の順に押し出し、給湯用配管１４を介して各所に所定の温度の温水を給湯する。
【００４６】
ここで、第２貯湯槽２から給湯用配管１４内に高温水が全て押し出され、それに続いて湯水混合層の湯水が押し出されることにより、給湯用配管１４内を流通する温水の温度が所定の温度よりも低くなる。そして、この温水の温度の低下が給湯用配管１４の途中に設けられている第７温度センサＴＸ７で検出されると、その検出信号によって制御装置２０により第１制御弁１１の開度が調整され、第１貯湯槽５の流出口７と給湯用配管１４との間が全開状態となり、第２貯湯槽５からの湯水に１貯湯槽２からの高温水が混合され、給湯用配管１４内の温水が所定の温度に調整される（図３参照）。
【００４７】
そして、第２貯湯槽２内の高温水及び湯水を使い切ったのを第７、第８温度センサＴＸ７、ＴＸ８で検出し（例えば、第７、第８温度センサＴＸ７、ＴＸ８が冷水温度＋５℃を検出したときに、湯水混合層の湯水を使い切ったと判定する。）、この後に、第１制御弁１１の開度を調整して、第２貯湯槽２の流出口４と給湯用配管１４との間を全閉状態とし、第１貯湯槽５の流出口７と給湯用配管１４との間を全開状態とし、第２貯湯槽２から第１貯湯槽５の給湯運転に切り換える（図４参照）。
【００４８】
そして、上記のように、一方の貯湯槽２、５の温水、及び湯水を使い切った後に、他方の貯湯槽５、２に切り換えることにより、各貯湯槽２、５内に湯水混合層が形成されてもその湯水混合層の湯水を優先的に有効利用することができるので、給湯システム１の加熱効率を高めることができる。
ただし、本発明は、これに限らず、高温水を使い切った後に、次の貯湯槽に切り換えることとしてもよい。要するに、少なくとも高温水を使い切った後に貯湯槽を切り換えるようにすればよい。
【００４９】
なお、前記の説明においては、第１貯湯槽２と第２貯湯槽５の２つの貯湯槽を使用したが、３つ以上の貯湯槽を使用してもよいものであり、３つ以上の貯湯槽を使用する場合にも、３つ以上の貯湯槽を、給湯中の貯湯槽の高温水を使い切った後に、次の貯湯槽から給湯が行われるように、順次切り換えて使用することになるので、常に、所定の温度の高温水が各所に給湯されるとともに、各貯湯槽内に湯水混合層が拡大するのを抑制できる。
また、各貯湯槽２、５は、複数の貯湯タンクが直列または並列、さらに直列と並列の複合のタンクシステムを構成したタンク系列であっても同様の効果が得られる。
さらに、前記の説明においては、温水生成手段をヒートポンプ８に適用した例を示したが、温水生成手段はヒートポンプ８に限らず、熱交換器により加熱する水加熱装置であればよい。例えば、燃料蓄電池セルの排熱をお湯として蓄熱し、給湯用途に用いる家庭用ジェネレーションシステムとしての家庭用燃料電池システムの貯湯タンクに適用してもよい。
【図面の簡単な説明】
【００５０】
【図１】本発明による給湯システムの一実施の形態を示した概略図である。
【図２】図１の給湯システムの運転方法の一例を示した説明図であって、給湯運転の開始時の状態を示した説明図である。
【図３】給湯運転中の状態を示した説明図である。
【図４】給湯運転中の状態を示した説明図である。
【図５】給湯運転の終了時の状態を示した説明図である。
【図６】貯湯運転の開始時の状態を示した説明図である。
【図７】貯湯運転中の状態を示した説明図である。
【図８】貯湯運転の終了時の状態を示した説明図である。
【図９】急騰運転の開始時の状態を示した説明図である。
【符号の説明】
【００５１】
１  給湯システム
２  第１貯湯槽                      ３  流入口
４  流出口                          ５  第２貯湯槽
６  流入口                          ７  流出口
８  温水生成手段（ヒートポンプ）    ９  流入口
１０  流出口                        １１  第１制御弁
１２  第２制御弁                    １３  給水用配管
１４  給湯用配管                    １５  バイパス配管
１６  配管                          ２０  制御装置
ＴＸ１  第１温度センサ              ＴＸ２  第２温度センサ
ＴＸ３  第３温度センサ              ＴＸ４  第４温度センサ
ＴＸ５  第５温度センサ              ＴＸ６  第６温度センサ
ＴＸ７  第７温度センサ              ＴＸ８  第８温度センサ
【図１】
2007333238.tif 000003
【図２】
2007333238.tif 000004
【図３】
2007333238.tif 000005
【図４】
2007333238.tif 000006
【図５】
2007333238.tif 000007
【図６】
2007333238.tif 000008
【図７】
2007333238.tif 000009
【図８】
2007333238.tif 000010
【図９】
2007333238.tif 000011